(57)【要約】【課題】本発明は、手動と電動とを切り替えることができるとともに、切り替え操作がスムーズに行えるエクステンダ操作装置を提供する。【解決手段】本発明のエクステンダ操作装置は、エクステンダ用モータ２４と手動用のレバー２２とを備え、遠隔操作用の操作部材２６をエクステンダユニット１８に取り付けると、変倍レンズを進退移動させる動力がエクステンダ用モータ２４側に切り替えられるので、変倍レンズを操作部材２６によって遠隔操作することができる。また、操作部材２６のコネクタ３２をエクステンダユニット１８から取り外すと、変倍レンズを進退移動させる動力がレバー２２側に切り替えられるので、変倍レンズをレバー２２によって手動操作することができる。【選択図】  図３
2006292968.tif 000002
【特許請求の範囲】
【請求項１】
撮影レンズ装置に設けられ、撮影レンズ系の光路に対して進退移動自在に設けられた変倍レンズと、
前記変倍レンズを電動にて進退移動させるモータと、
前記変倍レンズを手動にて進退移動させる手動操作部材と、
前記モータを遠隔操作する遠隔操作部材と、
前記変倍レンズを進退移動させる動力を前記モータ側又は前記手動操作部材側に切り替えるとともに、前記遠隔操作部材が取り付けられると前記動力を前記モータ側に切り替え、前記遠隔操作部材が取り外されると前記動力を前記手動操作部材側に切り替える動力切替手段と、
からなることを特徴とするエクステンダ操作装置。
【請求項２】
前記動力切替手段は、
前記遠隔操作部材の取り付け、取り外しを検知するセンサと、
前記センサが前記遠隔操作部材の取り付けを検出した際に、前記動力を前記モータ側に切り替え、前記センサが前記遠隔操作部材の取り外しを検出した際に、前記動力を前記手動操作部材側に切り替えるクラッチと、からなることを特徴とする請求項１に記載のエクステンダ操作装置。
【発明の詳細な説明】
【技術分野】
【０００１】
本発明はエクステンダ操作装置に係り、特にテレビカメラ用撮影レンズ系の光路内に変倍レンズを電動又は手動にて進退移動させて撮影倍率を変更するエクステンダ操作装置に関する。
【背景技術】
【０００２】
ＥＮＧカメラはニュース取材等に使用され、カメラマンの操作性、機動性に対応できるものが必要であり、また、このようなカメラに使用されるレンズも同様である。
【０００３】
ＥＮＧカメラ用レンズとして、エクステンダを内蔵したレンズ装置は、エクステンダユニットがレンズ装置の後端部に接続されており、このエクステンダユニットは、撮影レンズ系のリレーレンズ部のアフォーカル部に変倍レンズが進退移動可能な構造に構成されている。
【０００４】
変倍レンズの進退を手動にて行う手動タイプのエクステンダユニットは、エクステンダユニットに切替レバーが設けられている。ＥＮＧカメラを肩載せ操作するカメラマンによって前記切替レバーが操作されることにより、変倍レンズが進退移動されて撮影倍率が切り替えられる。
【０００５】
また、手動タイプのエクステンダユニットの切替レバーを遠隔操作できるように、外付けのエクステンダ操作装置を取り付けたものも知られている（特許文献１）。
【特許文献１】特開平４−２４０８１０号公報
【発明の開示】
【発明が解決しようとする課題】
【０００６】
しかしながら、特許文献１の場合は、手動でエクステンダの切り替え操作を行う撮影状況が前提であるため、エクステンダユニットにモータが内蔵されておらず、遠隔で操作するためには、モータが内蔵されたエクステンダ操作装置を外付けで取り付ける作業が必要であった。
【０００７】
また、電動駆動によって遠隔でエクステンダ切り替え操作を行う撮影状況が前提の場合は、エクステンダユニット内に最初からモータを内蔵させるものが知られていた。
【０００８】
しかしその場合は、電動によってエクステンダを切り替えることしかできず、手動での切り替えができなかった。この場合において手動での切り替えを可能とするために、電動と手動との切替部材を設けることが考えられるが、撮影状況に応じて撮影者が切替部材をその都度操作しなければならず、操作が煩雑になるという欠点があった。
【０００９】
本発明はこのような事情に鑑みてなされたもので、手動と電動とを切り替えることができるとともに、切り替え操作がスムーズに行えるエクステンダ操作装置を提供することを目的とする。
【課題を解決するための手段】
【００１０】
請求項１に記載の発明は、前記目的を達成するために、撮影レンズ装置に設けられ、撮影レンズ系の光路に対して進退移動自在に設けられた変倍レンズと、前記変倍レンズを電動にて進退移動させるモータと、前記変倍レンズを手動にて進退移動させる手動操作部材と、前記モータを遠隔操作する遠隔操作部材と、前記変倍レンズを進退移動させる動力を前記モータ側又は前記手動操作部材側に切り替えるとともに、前記遠隔操作部材が取り付けられると前記動力を前記モータ側に切り替え、前記遠隔操作部材が取り外されると前記動力を前記手動操作部材側に切り替える動力切替手段と、からなることを特徴としている。
【００１１】
請求項１のエクステンダ操作装置は、モータと手動操作部材とを備えており、遠隔操作部材を動力切替手段に取り付けると、変倍レンズを進退移動させる動力が動力切替手段によってモータ側に切り替えられるので、変倍レンズを遠隔操作部材によって遠隔操作可能となる。また、遠隔操作部材を動力伝達手段から取り外すと、変倍レンズを進退移動させる動力が動力切替手段によって手動操作部材側に切り替えられるので、変倍レンズを手動操作部材によって手動操作可能となる。このとき、操作部材はレンズ装置から取り外されているため、操作部材が操作に邪魔になることはない。したがって、本発明によれば、手動と電動とを切り替えることができるとともに、切り替え操作がスムーズに行えるエクステンダ操作装置を提供できる。
【００１２】
請求項２に記載の発明は、請求項１において、前記動力切替手段は、前記遠隔操作部材の取り付け、取り外しを検知するセンサと、前記センサが前記遠隔操作部材の取り付けを検出した際に、前記動力を前記モータ側に切り替え、前記センサが前記遠隔操作部材の取り外しを検出した際に、前記動力を前記手動操作部材側に切り替えるクラッチと、からなることを特徴としている。
【００１３】
請求項２によれば、センサが遠隔操作部材の取り付けを検知すると、クラッチが動力をモータ側に切り替え、センサが操作部材の取り外しを検知すると、クラッチが動力を手動操作部材側に切り替える。
【発明の効果】
【００１４】
以上説明したように本発明に係るエクステンダ操作装置によれば、モータと手動操作部材とを備え、遠隔操作部材を動力切替手段に取り付けると、変倍レンズを進退移動させる動力が動力切替手段によってモータ側に切り替えられ、また、遠隔操作部材を動力伝達手段から取り外すと、変倍レンズを進退移動させる動力が動力切替手段によって手動操作部材側に切り替えられるので、手動と電動とを切り替えることができるとともに、切り替え操作がスムーズに行えるエクステンダ操作装置を提供できる。
【発明を実施するための最良の形態】
【００１５】
以下添付図面に従って、本発明に係るエクステンダ操作装置の好ましい実施の形態について詳説する。
【００１６】
図１は、実施の形態に係るエクステンダ操作装置が設けられたＥＮＧカメラ用レンズ１０の斜視図である。ＥＮＧカメラ用レンズ１０は、鏡胴にフォーカスリング、ズームリング及びアイリスリングが回動自在に設けられ、フォーカスリングを回動操作することによりフォーカシングが行われ、ズームリングを回動操作することによりズーミングが行われ、そして、アイリスリングを回動操作することにより絞りが駆動されて所望のＦ値に設定される。
【００１７】
また、ＥＮＧカメラ用レンズ１０の側部には、ドライブユニット１２が取り付けられる。ドライブユニット１２の上面にはズームシーソレバー１４が設けられ、ズームシーソレバー１４を操作することにより、ドライブユニット１２に内蔵されたズームモータが駆動され、前記ズームリングが電動にて回動される。なお、符号１６は、ＥＮＧカメラ用レンズ１０と不図示のカメラとを接続する電力供給用ケーブルであり、この電力供給用ケーブル１６を介してカメラから供給される電力により、前記ズームモータ等が駆動される。
【００１８】
ＥＮＧカメラ用レンズ１０の後端部近傍には、エクステンダユニット１８が設けられている。このエクステンダユニット１８のケーシング２０には、撮影倍率を２倍に切り替える変倍レンズが内蔵され、この変倍レンズは、ＥＮＧカメラ用レンズ１０のリレーレンズ部のアフォーカル部に進退移動自在に設けられている。これにより、撮影倍率を１倍から２倍に、２倍から１倍に瞬時に切り替えることができる。
【００１９】
また、変倍レンズを手動にて進退移動させるレバー（手動操作部材）２２がケーシング２０のカメラ側の側面に回動自在に設けられている。更に、変倍レンズを電動にて進退移動させるエクステンダ用モータ２４がケーシング２０に内蔵されている。
【００２０】
更にまた、エクステンダ操作装置は、エクステンダ用モータ２４を遠隔操作する操作部材（遠隔操作部材）２６を有している。この操作部材２６は、例えば雲台（不図示）から延設されたパン棒（不図示）に取り付けられるズームデマンドであり、このズームデマンドに撮影倍率を前記の如く切り替えるための切替スイッチ２８が設けられている。
【００２１】
操作部材２６は、ケーブル３０に接続されたコネクタ３２を介してエクステンダユニット１８のコネクタ（不図示）に着脱自在に接続される。エクステンダユニット１８には、エクステンダユニット１８側の前記コネクタにコネクタ３２が接続されたことを短絡等によって検知するセンサ３４が図２の如く設けられている。また、エクステンダユニット１８には、切替スイッチ２８及びセンサ３４からの信号に基づきエクステンダ用モータ２４等を駆動制御するＣＰＵ３６が内蔵されている。このＣＰＵ３６については後述する。
【００２２】
図３、図４には変倍レンズの進退動作を電動と手動とに切り替えるための動力切替装置（動力切替手段）４０の構造図が示されている。
【００２３】
同図に示す動力切替装置４０において、レバー２２の手動操作によって変倍レンズを保持したレンズ保持枠４２を、撮影レンズ系の光路に進退移動させる手動機構について説明する。
【００２４】
図３の如くレバー２２の端部にはギヤ４４が固定され、このギヤ４４はギヤ４６に噛合されている。ギヤ４６は、ケーシング２０に内設されたプレート４８に端部が固定された軸５０に回動自在に設けられるとともに、ギヤ４６と一体的に形成された筒部５２にレンズ保持枠４２が固定されている。したがって、この手動機構によれば、レバー２２を回動操作すると、その操作力がギヤ４４からギヤ４６に伝達し、レンズ保持枠４２が軸５０を中心に回動することにより、レンズ保持枠４２が撮影レンズ系の光路に対し進退移動される。
【００２５】
次に、動力切替装置４０において、エクステンダ用モータ２４の動力によって、すなわち図１に示した操作部材２６の遠隔操作によって、レンズ保持枠４２を撮影レンズ系の光路に進退移動させる電動機構について説明する。
【００２６】
図４の如くエクステンダ用モータ２４の回転軸５４にはギヤ５６が固定され、このギヤ５６は、歯が長めに形成されたギヤ５８に噛合されている。ギヤ５８は、プレート４８に端部が固定された軸６０に回動自在に設けられるとともに、ギヤ５８と一体的に形成されたクラッチギヤ６２がギヤ４４に噛合されている。したがって、この電動機構によれば、エクステンダ用モータ２４が駆動されると、その動力がギヤ５６からギヤ５８、クラッチギヤ６２及びギヤ４４を介してギヤ４６に伝達する。これにより、前述した手動機構と同様に、レンズ保持枠４２が軸５０を中心に回動するので、レンズ保持枠４２が撮影レンズ系の光路に対し進退移動される。
【００２７】
次に、動力伝達系を図３に示した手動機構と図４に示した電動機構とに切り替えるクラッチ機構について説明する。
【００２８】
このクラッチ機構は、手動／電動切替用モータ６４を有し、この手動／電動切替用モータ６４の回転軸６６には、ねじ軸６８が同軸上に固定されている。ねじ軸６８は、ギヤ５８及びクラッチギヤ６２の近傍に併設されるとともに、軸６０に対して平行に設けられている。また、ねじ軸６８には、切替リング７０が螺合されており、この切替リング７０は、ねじ軸６８に対して平行に併設されたガイドバー７２に摺動自在に支持されている。したがって、手動／電動切替用モータ６４を正転／逆転駆動することにより、切替リング７０がねじ軸６８に沿って往復移動される。
【００２９】
切替リング７０が図３の如く左方向に移動されると、切替リング７０がギヤ５８の側面に当接し、切替リング７０の継続する左方向の移動によりギヤ５８が切替リング７０に押され、軸６０に沿って左方向に摺動する。これにより、ギヤ５８と一体的に形成されたクラッチギヤ６２がギヤ４４から退避するので、電動機構の動力が遮断され、よって、レバー２２の操作のみが有効となる。
【００３０】
また、切替リング７０が図４の如く右方向に移動されると、切替リング７０がクラッチギヤ６０の側面に当接し、切替リング７０の継続する右方向の移動によりクラッチギヤ６２が切替リング７０に押され、軸６０に沿って右方向に摺動する。これにより、クラッチギヤ６２がギヤ４４に噛合されるので、電動機構の動力がレンズ保持枠４２に伝達される。なお、このとき、レバー２２の操作も有効となるが、エクステンダ用モータ２４に電流が印可されている状態ではエクステンダ用モータ２４のロック作用によりレバー２２を操作することができないため、図１の操作部材２６による遠隔操作のみが有効となる。
【００３１】
ところで、図２に示したＣＰＵ３６は、センサ３４からコネクタ３２（図１参照）が取り付けられたことを示す信号が出力されると、モータドライブ７４を制御して手動／電動切替用モータ６４を正転駆動する。これにより、切替リング７０が図４の如く右方向に移動され、クラッチギヤ６２がギヤ４４に噛合されるので、図１の操作部材２６による遠隔操作のみが有効となる。そして、ＣＰＵ３６は、操作部材２６の切替スイッチ２８から切替信号が出力されると、モータドライブ７６を制御してエクステンダ用モータ２４を駆動する。これにより、撮影倍率を電動にて１倍、２倍に切り替えることができる。
【００３２】
また、ＣＰＵ３６は、センサ３４からコネクタ３２（図１参照）が取り外されたことを示す信号が出力されると、モータドライブ７４を制御して手動／電動切替用モータ６４を逆転駆動する。これにより、切替リング７０が図３の如く左方向に移動され、クラッチギヤ６２がギヤ４４から退避するので、レバー２２による手動操作のみが有効となる。
【００３３】
以上の如く、実施の形態のエクステンダ操作装置によれば、エクステンダ用モータ２４と手動用のレバー２２とを備え、遠隔操作用の操作部材２６をエクステンダユニット１８に取り付けると、変倍レンズを進退移動させる動力がエクステンダ用モータ２４側に切り替えられるので、変倍レンズを操作部材２６によって遠隔操作することができる。
【００３４】
また、操作部材２６のコネクタ３２をエクステンダユニット１８から取り外すと、変倍レンズを進退移動させる動力がレバー２２側に切り替えられるので、変倍レンズをレバー２２によって手動操作することができる。このとき、操作部材２６はＥＮＧカメラ用レンズ１０から取り外されているため、操作部材２６、ケーブル３０が操作に邪魔になることはない。したがって、手動と電動とを切り替えることができるとともに、切り替え操作がスムーズに行えるエクステンダ操作装置を提供できる。
【図面の簡単な説明】
【００３５】
【図１】実施の形態のエクステンダ操作装置が適用されたテレビカメラの斜視図
【図２】図１に示したエクステンダ操作装置の構成を示したブロック図
【図３】動力切替装置によって手動側が有効に切り替えられたときの構造図
【図４】動力切替装置によって電動側が有効に切り替えられたときの構造図
【符号の説明】
【００３６】
１０…ＥＮＧカメラ用レンズ、１２…ドライブユニット、１８…エクステンダユニット、２０…ケーシング、２２…レバー、２４…エクステンダ用モータ、２６…操作部材、２８…切替スイッチ、３０…ケーブル、３２…コネクタ、３４…センサ、３６…ＣＰＵ、４０…動力切替装置、４２…レンズ保持枠、６４…手動／電動切替用モータ、７０…切替リング
【図１】
2006292968.tif 000003
【図２】
2006292968.tif 000004
【図３】
2006292968.tif 000005
【図４】
2006292968.tif 000006